(57)【要約】【課題】磁気転写装置の転写ユニットにおいて、マスターディスクを保持して高精度に位置調整されたホルダ板をディスクホルダベースから着脱する時に、高精度な位置の再現性を実現できる転写ユニットを提供すること。【解決手段】被転写用ディスク９１とマスターディスク９２とを保持したホルダ板１３を直接又は間接的に押圧する押圧部材１９と、ディスクホルダベース１８の押圧部材１９の作用軸心ＯＬを挟んだ一方側及び他方側に形成された位置規制部位１８ｂとで、ホルダ板１３をディスクホルダベース１８に位置決め装着する装着位置再現機構部６０を設けた。【選択図】      図５
2006196119.tif 000002
【特許請求の範囲】
【請求項１】
被転写用ディスクと、被転写用ディスクの磁性層に対して情報を転写するためのパターン状の磁性層を備えたマスターディスクとを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、
ディスクを挟持するホルダ板とディスクホルダベースとを有する第１のディスクホルダと、
第１のディスクホルダに対向配置され、ディスクを挟持するホルダ板とディスクホルダベースとを有する第２のディスクホルダとが設けられ、
前記第１のディスクホルダと第２のディスクホルダとのうち少なくともいずれか一方には、前記ホルダ板を直接又は間接的に押圧する押圧部材と、前記ディスクホルダベースの前記押圧部材の作用軸心である押圧軸心を挟んだ一方側及び他方側に形成された位置規制部位とで、前記ホルダ板をディスクホルダベースに位置決め装着するホルダ板の装着位置再現機構部が設けられたことを特徴とする転写ユニット。
【請求項２】
前記位置規制部位は、前記押圧軸心を挟んだ両側に１個づつ形成された２個の位置規制部位で構成されるか、又は前記押圧軸心を挟んだ一方側に少なくとも２個他方側に少なくとも１個形成された少なくとも３個の位置規制部位から構成されることを特徴とする請求項１に記載の転写ユニット。
【請求項３】
前記装着位置再現機構部の前記ホルダ板に挟持されるマスターディスクと平行な面への投影図において、前記位置規制部位によって形成される前記押圧軸心を挟んだ一方側の位置規制線と前記押圧軸心を挟んだ他方側の位置規制線とが、前記押圧軸心に対して略線対称に配置されていることを特徴とする請求項１又は請求項２に記載の転写ユニット。    
【請求項４】
前記装着位置再現機構部の前記ホルダ板に挟持されるマスターディスクと平行な面への投影図において、前記位置規制部位によって形成される前記押圧軸心を挟んだ一方側の位置規制線と前記押圧軸心を挟んだ他方側の位置規制線とのなす角度が６０度乃至１２０度であることを特徴とする請求項１、２、又は３のうちいずれか１項に記載の転写ユニット。
【請求項５】
前記装着位置再現機構部の前記ホルダ板に挟持されるマスターディスクと平行な面への投影図において、前記位置規制部位によって形成される前記押圧軸心を挟んだ少なくとも一方側の位置規制線の有効規制長さが前記被転写用ディスクの外径の１倍乃至１５倍であることを特徴とする請求項１、２、３、又は４のうちいずれか１項に記載の転写ユニット。
【請求項６】
前記装着位置再現機構部の前記ホルダ板に挟持されるマスターディスクと平行な面への投影図において、前記位置規制部位によって形成される前記押圧軸心を挟んだ一方側の位置規制線と直交し前記ホルダ板に挟持された被転写用ディスクの中心点を含む線分が、該位置規制線の有効規制長さ部分で該位置規制線と交差することを特徴とする請求項１、２、３、４、又は５のうちいずれか１項に記載の転写ユニット。
【請求項７】
被転写用ディスクと、被転写用ディスクの磁性層に対して情報を転写するためのパターン状の磁性層を備えたマスターディスクとを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、
ディスクを挟持するホルダ板を有する第１のディスクホルダと、
第１のディスクホルダに対向配置され、ディスクを挟持するホルダ板を有する第２のディスクホルダとが設けられ、
前記ホルダ板の取り付け部材への固定は、挟み込み方向以外への動きが規制された固定部材と前記取り付け部材とで挟持することによって行われることを特徴とする転写ユニット。
【請求項８】
前記固定部材は前記ホルダ板の外周部に対して複数設けられ、外周部の複数部分で前記ホルダ板を挟持することを特徴とする請求項７に記載の転写ユニット。
【請求項９】
前記固定部材は１個の部材からなり、前記ホルダ板の外周部全周を挟持することを特徴とする請求項７に記載の転写ユニット。
【請求項１０】
前記請求項１乃至請求項９のいずれかに記載の転写ユニットを備えたことを特徴とする磁気転写装置。
【請求項１１】
前記請求項１０に記載の磁気転写装置によってマスターディスクの情報が磁気転写された被転写用ディスクからなる磁気記録媒体。
【発明の詳細な説明】
【技術分野】
【０００１】
本発明は、磁気転写装置、転写ユニット、及び磁気記録媒体に係り、特にハードディスク装置等に用いられる磁気記録媒体に、マスターディスクからフォーマット情報等の磁気情報パターンを転写する磁気転写装置、磁気記録媒体及びマスターディスクを保持する転写ユニット、及び情報が磁気転写された磁気記録媒体に関する。
【背景技術】
【０００２】
ハードディスク装置やフレキシブルディスク装置等に用いられる高密度磁気記録媒体である磁気ディスクは、高速アクセスが可能であるとともに情報記録容量のより大容量化が求められている。
【０００３】
この大容量化を実現するために、トラック幅はより狭トラック化され、この狭いトラック幅の中で磁気ヘッドを正確に走査する、いわゆるトラッキングサーボ技術が重要な役割を担っている。
【０００４】
磁気ディスクには、所定の間隔でトラッキング用のサーボ信号やアドレス情報信号、及び再生クロック信号等がトラッキングサーボを行うためにプリフォーマットとして記録されている。
【０００５】
このプリフォーマットを正確にかつ短時間で効率的に行う方法として、本出願人は、高密度磁気記録媒体となる被転写用ディスク（以下スレーブディスクと呼称する）に転写すべき情報に対応した凹凸パターンの磁性層を有するマスターディスクを用意するとともに、スレーブディスクの磁性層を予めトラックの一方向に初期磁化し、その後、この初期磁化されたスレーブディスクとマスターディスクとを密着させた状態で初期磁化方向と略逆向きの転写用磁界を印加する磁気転写方法を提案している（例えば、特許文献１参照。）。
【０００６】
この場合、スレーブディスクの磁性層とマスターディスクの磁性層とをディスクホルダで密着挟持した状態で磁気転写を行うが、本出願人は、ディスクホルダの中心部に位置決めピンを設け、マスターディスクとスレーブディスクの位置合せを容易にしたディスクホルダを提案している（例えば、特許文献２参照。）。
【０００７】
このディスクホルダは、例えば図１０に示すようなディスクホルダ１１０で、ホルダ本体１１１、押圧ホルダ１１２で構成されている。ホルダ本体１１１は内面（ディスク受け面）１１１Ａと縁部１１１Ｂとを有する凹状円盤で、内面１１１Ａの中心部に位置決めピン１１３が設けられている。位置決めピン１１３とマスターディスク３の中心孔３Ａ、及びスレーブディスク２の中心孔２Ａとが嵌合して夫々位置決めされる。
【０００８】
押圧ホルダ１１２は内面１１２Ａと縁部１１２Ｂとを有した凹状円盤で、内面１１２Ａの中心部にマスターディスク４が接着又は真空吸着されている。また、押圧ホルダ１１２の縁部１１２Ｂに設けられたＯ−リングからなるシール材１１４とホルダ本体１１１の縁部１１１Ｂ内面とで密閉された内部空間７が形成される。また、ホルダ本体１１１には図示しない真空経路が形成されており、内部空間７を負圧にすることでマスターディスク３、スレーブディスク２、及びマスターディスク４を密着挟持する。
【０００９】
また、ホルダ本体１１１、及び押圧ホルダ１１２は夫々支持軸１１５、１１６で支持されるとともに、回転されるようになっている。
【特許文献１】特開２００１−０１４６６７号公報
【特許文献２】特開２００３−２７２１４０号公報
【発明の開示】
【発明が解決しようとする課題】
【００１０】
ところで、前述の磁気転写を行う際、転写用磁界印加手段の磁石とスレーブディスク及びマスターディスクとをディスクの中心軸の回りに相対的に回転させながら行う。このため、マスターディスクを直接保持する２枚のホルダ板の位置調整を行って、スレーブディスクの両側のマスターディスク同士の芯合わせを高精度に行う必要があるとともに、スレーブディスク及びマスターディスクの中心軸と磁石の相対的回転軸心とを高精度に合わせ込む必要がある。
【００１１】
このホルダ板の位置調整は、位置決めマークを顕微鏡やＣＣＤで観察する等の方式や位置決め部材による機械的な方式が用いられ、磁気転写装置の外部でいわゆる外段取りで行われる。
【００１２】
この場合、高精度に位置調整されたホルダ板を取り付け部材に固定するときに、従来のようにネジで固定するとホルダ板は高精度に位置調整されたそのままの位置で固定されず、ネジの回転力によって僅かに移動してしまうという問題があった。
【００１３】
また、ホルダ板に保持したマスターディスクは、所定回数の磁気転写後に表面に付着した塵埃を除去するためにクリーニング処理を施す場合があり、この場合に、ホルダ板からマスターディスクを取り外すと取り付けるときの位置決めが煩雑となることから、このようなマスターディスクのクリーニング等の保全時には、マスターディスクをホルダ板ごとディスクホルダベースから取り出して行う。
【００１４】
このため、外段取りでの位置調整作業やクリーニング等の保全の後にマスターディスクをホルダ板ごとディスクホルダベースに取り付ける際に、容易に取り付け位置が再現できるようにすることが望まれていた。
【００１５】
本発明は、このような事情に鑑みてなされたもので、磁気転写装置の転写ユニットにおいて、マスターディスクを保持するホルダ板を高精度に位置調整した後、調整位置を崩さずに、そのままの位置で固定することができ、またマスターディスクをホルダ板ごとディスクホルダベースから着脱する時に高精度な位置再現性を有した転写ユニットを提供し、ホルダ板の位置調整やマスターディスクの保守等を容易に行うことのできる磁気転写装置を提供するとともに、マスターディスクの情報信号が良好に磁気転写された磁気記録媒体を提供することを目的とする。
【課題を解決するための手段】
【００１６】
本発明は、前記目的を達成するために、被転写用ディスクと、被転写用ディスクの磁性層に対して情報を転写するためのパターン状の磁性層を備えたマスターディスクとを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、ディスクを挟持するホルダ板とディスクホルダベースとを有する第１のディスクホルダと、第１のディスクホルダに対向配置され、ディスクを挟持するホルダ板とディスクホルダベースとを有する第２のディスクホルダとが設けられ、前記第１のディスクホルダと第２のディスクホルダとのうち少なくともいずれか一方には、前記ホルダ板を直接又は間接的に押圧する押圧部材と、前記ディスクホルダベースの前記押圧部材の作用軸心である押圧軸心を挟んだ一方側及び他方側に形成された位置規制部位とで、前記ホルダ板をディスクホルダベースに位置決め装着するホルダ板の装着位置再現機構部が設けられたことを特徴とする。
【００１７】
本発明によれば、押圧部材とディスクホルダベースに形成された位置規制部位とでホルダ板をディスクホルダベースに位置決め装着するので、ホルダ板の着脱の際に装着位置の再現性がよい。
【００１８】
また本発明は、前記発明において、前記位置規制部位は、前記押圧軸心を挟んだ両側に１個づつ形成された２個の位置規制部位で構成されるか、又は前記押圧軸心を挟んだ一方側に少なくとも２個他方側に少なくとも１個形成された少なくとも３個の位置規制部位から構成されることを特徴とする。
【００１９】
また本発明は、前記発明において、前記装着位置再現機構部の前記ホルダ板に挟持されるマスターディスクと平行な面への投影図において、前記位置規制部位によって形成される前記押圧軸心を挟んだ一方側の位置規制線と前記押圧軸心を挟んだ他方側の位置規制線とが、前記押圧軸心に対して略線対称に配置されていることを特徴とする。
【００２０】
また本発明は、前記発明において、前記装着位置再現機構部の前記ホルダ板に挟持されるマスターディスクと平行な面への投影図において、前記位置規制部位によって形成される前記押圧軸心を挟んだ一方側の位置規制線と前記押圧軸心を挟んだ他方側の位置規制線とのなす角度が６０度乃至１２０度であることを特徴とする。
【００２１】
また本発明は、前記発明において、前記装着位置再現機構部の前記ホルダ板に挟持されるマスターディスクと平行な面への投影図において、前記位置規制部位によって形成される前記押圧軸心を挟んだ少なくとも一方側の位置規制線の有効規制長さが前記被転写用ディスクの外径の１倍乃至１５倍であることを特徴とする。
【００２２】
また本発明は、前記発明において、前記装着位置再現機構部の前記ホルダ板に挟持されるマスターディスクと平行な面への投影図において、前記位置規制部位によって形成される前記押圧軸心を挟んだ一方側の位置規制線と直交し前記ホルダ板に挟持された被転写用ディスクの中心点を含む線分が、該位置規制線の有効規制長さ部分で該位置規制線と交差することを特徴とする。
【００２３】
これらの本発明によれば、ディスクを挟持するホルダ板をディスクホルダベースに着脱する際に、装着位置の再現性が優れている。
【００２４】
また本発明は、被転写用ディスクと、被転写用ディスクの磁性層に対して情報を転写するためのパターン状の磁性層を備えたマスターディスクとを挟持し、転写用磁界を印加して前記被転写用ディスクの磁性層に前記マスターディスクの情報を磁気的に転写する磁気転写装置の前記被転写用ディスクとマスターディスクとを挟持する転写ユニットにおいて、ディスクを挟持するホルダ板を有する第１のディスクホルダと、第１のディスクホルダに対向配置され、ディスクを挟持するホルダ板を有する第２のディスクホルダとが設けられ、前記ホルダ板の取り付け部材への固定は、挟み込み方向以外への動きが規制された固定部材と前記取り付け部材とで挟持することによって行われることを特徴とする。
【００２５】
本発明によれば、ホルダ板の取り付け部材への固定は、挟み込み方向以外への動きが規制された固定部材によって取り付け部材に挟み込むので、位置調整されたホルダ板の位置を崩さずに、そのままの位置で取り付け部材に固定することができる。
【００２６】
また本発明は、前記発明において、前記固定部材は前記ホルダ板の外周部に対して複数設け、外周部の複数部分で前記ホルダ板を挟持することができる。あるいは前記固定部材を１個の部材で構成し、前記ホルダ板の外周部全周を挟持することができる。
【００２７】
本発明に係る磁気転写装置は、前記いずれかに記載の転写ユニットを備えたことを特徴とする。本発明の磁気転写装置によれば、被転写用ディスクとマスターディスクとを挟持する転写ユニットがホルダ板をディスクホルダベースに位置決め装着するホルダ板の装着位置再現機構部を有しているので、ホルダ板の着脱の際に装着位置の再現性が優れている。また、ホルダ板の取り付け部材への固定は、挟み込み方向以外への動きが規制された固定部材と取り付け部材とで挟持することを特徴とするので、位置調整されたホルダ板の位置を崩さずに、そのままの位置で取り付け部材に固定することができる。そのため、本発明の磁気転写装置ではホルダ板の位置調整やマスターディスクの保守等を容易に行うことができる。
【００２８】
また、本発明の係る磁気記録媒体は、前記の磁気転写装置によってマスターディスクの情報が磁気転写された被転写用ディスクからなることを特徴とする。本発明の磁気記録媒体は前述の磁気転写装置によってマスターディスクの情報が磁気転写されているので、マスターディスクの情報信号が良好に磁気転写された磁気記録媒体である。
【発明の効果】
【００２９】
以上説明したように本発明に係る被転写用ディスクを２枚のマスターディスクで密着挟持する磁気転写装置の転写ユニットによれば、マスターディスクを保持するホルダ板を押圧部材とディスクホルダベースに形成された位置規制部位とでディスクホルダベースに位置決め装着するので、ホルダ板の着脱の際に装着位置の再現性が優れている。
【発明を実施するための最良の形態】
【００３０】
以下添付図面に従って、本発明に係る磁気転写装置の転写ユニットの好ましい実施の形態について詳説する。なお、各図において同一部材には同一の番号または記号を付している。
【００３１】
図１は、磁気転写装置の概念を表わす斜視図である。磁気転写装置１は、図１には記載していない被転写用ディスクであるスレーブディスクを、２枚のマスターディスクで密着挟持する第１のディスクホルダ１１と第２のディスクホルダ１２とを有する転写ユニット１０、第１のディスクホルダ１１と第２のディスクホルダ１２の上面及び下面に配置された磁石３１を有する転写用磁界印加手段３０、第１のディスクホルダ１１と第２のディスクホルダ１２又は磁石３１、３１を図の矢印Ａ方向に相対的に回転させる図示しない回転手段、及びスレーブディスクとマスターディスクとを転写ユニット１０に搬入、搬出する図示しない搬送手段等で構成されている。
【００３２】
図２は、磁気転写装置１の実施の形態を表わす側面図である。磁気転写装置１のベース１０ａ上には転写ユニット１０が設けられ、転写用磁界印加手段３０、３０は図のＸ方向の水平移動と図のθ方向の回転運動を行う駆動手段３２、３２で磁石３１、３１を保持している。
【００３３】
図３は、転写ユニット１０の構成を説明するための側面図である。転写ユニット１０は、第１のディスクホルダ１１、第２のディスクホルダ１２、第１のディスクホルダ１１の姿勢調整を行うチルチング調整手段２３、及び第２のディスクホルダ１２を第１のディスクホルダ１１に対して接近又は離間させる移動手段４０等から構成されている。
【００３４】
図３に示すように、転写ユニット１０のユニットベース２９には取り付け板２７が固定され、取り付け板２７にはチルチング調整手段２３を構成するチルチングベース２４が取り付けられている。チルチングベース２４には第１のディスクホルダ１１が図３のＹ方向（紙面に垂直方向）及びＺ方向の傾斜調整が可能に取り付けられている。
【００３５】
チルチング調整手段２３は、チルチングベース２４、４個の先端が球形の微調ネジ（調整ボルト）２５、２５、…と４個のクランプネジ２６、２６、…とからなる調整部材とで構成されている。微調ネジ２５は押しネジでクランプネジ２６は引きネジとして作用する。
【００３６】
また、第１のディスクホルダ１１は、スレーブディスクとマスターディスクとを保持するホルダ板１３、ホルダ板１３を複数のＬ字状コマ（固定部材）１７、１７、…を介して固定保持する中間板（取り付け部材）１６、中間板１６を位置決め固定するディスクホルダベース１８等で構成されている。
【００３７】
ディスクホルダベース１８は、一方の面に凹部１８ａを有しており、ホルダ板１３を固定保持した中間板１６を凹部１８ａに挿入し、押圧部材である押しネジ１９で中間板１６の上部側面を押圧することにより中間板１６の他の側面２面がディスクホルダベース１８の凹部１８ａの壁面に形成された位置規制部位に当接し、中間板１６が位置決めされるようになっている。この構成がホルダ板１３の装着位置再現機構部であり、詳細は後述する。このため、押しネジ１９を緩め、ホルダ板１３を中間板１６ごとディスクホルダベース１８から取りはずしても又再現性良く位置決めが可能である。
【００３８】
このために、ホルダ板１３でスレーブディスクとマスターディスクとを保持した時のスレーブディスクとマスターディスクの中心線ＣＬを所定位置にあわせこむ調整を磁気転写装置１の外部で行うことができる。
【００３９】
取り付け板２７、チルチングベース２４、ディスクホルダベース１８、及び中間板１６の夫々中央部には図の点線で示す貫通孔が形成されており、転写用磁界印加手段３０の磁石３１が中心線ＣＬを中心に回転可能に挿入されるようになっている。
【００４０】
また、転写ユニット１０のユニットベース２９にはリニアガイド４２が設けられ、テーブル４１を図３のＸ方向に案内し、テーブル４１はモータ４４で駆動されるボールネジ４３によって図のＸ方向に移動されるようになっている。このリニアガイド４２、テーブル４１、ボールネジ４３、及びモータ４４等で移動手段４０を構成している。
【００４１】
移動手段４０のテーブル４１には取り付け板２８が固定されており、取り付け板２８には第２のディスクホルダ１２が取り付けられている。第２のディスクホルダ１２は、マスターディスクを保持するホルダ板２０、ホルダ板２０を複数のＬ字状コマ（固定部材）１７、１７、…を介して固定保持する中間板（取り付け部材）２１、中間板２１を位置決め固定するディスクホルダベース２２等で構成されている。
【００４２】
ディスクホルダベース２２は、一方の面に凹部２２ａを有しており、ホルダ板２０を固定保持した中間板２１を凹部２２ａに挿入し、押しネジ（押圧部材）１９で中間板２１の上部側面を押圧することにより中間板２１の他の側面２面がディスクホルダベース２２の凹部２２ａの壁面に形成された位置規制部位に当接し、中間板２１が位置決めされるようになっている。この構成がホルダ板２０の装着位置再現機構部であり、詳細は後述する。このため、押しネジ１９を緩め、ホルダ板２０を中間板２１ごとディスクホルダベース２２から取りはずしても又再現性良く位置決めが可能である。
【００４３】
このために、ホルダ板２０でマスターディスクを保持した時のマスターディスクの中心線ＣＬを第１のディスクホルダ１１のホルダ板１３でスレーブディスクとマスターディスクとを保持した時のスレーブディスクとマスターディスクの中心線ＣＬとに一致させるようにあわせこむ調整を磁気転写装置１の外部で行うことができる。
【００４４】
また、取り付け板２８、ディスクホルダベース２２、及び中間板２１の夫々中央部には図の点線で示す貫通孔が形成されており、他方側の転写用磁界印加手段３０の磁石３１が中心線ＣＬを中心に回転可能に挿入されるようになっている。
【００４５】
第２のディスクホルダ１２は前述のように、移動手段４０によって図のＸ方向に接近又は離間されるようになっているので、第２のディスクホルダ１２を第１のディスクホルダ１１に向けて接近させることにより、磁気転写されるスレーブディスクは第１のディスクホルダ１１及び第２のディスクホルダ１２に保持されたマスターディスクに両側から密着保持されるようになっている。
【００４６】
図４は、第１のディスクホルダ１１のホルダ板１３、及び第２のディスクホルダ１２のホルダ板２０を表わす断面図である。第１のディスクホルダ１１のホルダ板１３は、円板状で周縁部に薄肉部が形成されており、この薄肉部で複数のＬ字状コマ１７、１７、…を介して中間板１６に固定保持されるようになっている。
【００４７】
また、ホルダ板１３の内部は大きな凹部になっており、凹部の底面がディスク受け面１３ｂになっている。また、凹部の中心部には段付凸部１３ａが形成され、段付凸部１３ａの根元側外周でマスターディスク９２の中心孔と嵌合してマスターディスク９２を位置決めし、段付凸部１３ａの先端側外周でスレーブディスク９１の中心孔と嵌合し、スレーブディスク９１を位置決めする。
【００４８】
ホルダ板１３の凹部の底面であるディスク受け面１３ｂには緩衝材１５が取り付けられている。また、ホルダ板１３の凹部と薄肉部との間の厚肉部には溝１３ｃが形成され、溝１３ｃにはОーリングからなるシール材１４が設けられている。
【００４９】
ホルダ板１３の凹部の底面、段付凸部１３ａの中心部、及び段付凸部１３ａの段付部には図４の２点鎖線で示す真空吸引路１３ｄが形成され、凹部底面の吸引路でマスターディスク９２を吸引し、段付凸部１３ａの段付部の吸引路でスレーブディスク９１を吸引し、他の吸引部で全体を吸引する。
【００５０】
なお、段付凸部１３ａの外周面には、必要に応じＤＬＣ（ｄｉａｍｏｎｄ  ｌｉｋｅ  ｃａｒｂｏｎ）膜等の硬質保護膜を被覆し、ディスクとの摩擦に伴う塵埃の発生を低減するようにしてもよい。また、前述の説明では段付凸部１３ａがホルダ板１３と一体で形成されているが、段付凸部１３ａを別部品で形成し、ホルダ板１３の中央に取り付けてもよい。
【００５１】
第２のディスクホルダ１２のホルダ板２０も円板状で周縁部に薄肉部が形成されており、この薄肉部で複数のＬ字状コマ１７、１７、…を介して中間板２１に固定保持されるようになっている。
【００５２】
また、ホルダ板２０の内部も大きな凹部になっており、凹部の底面がディスク受け面２０ａになっている。また、ディスク受け面２０ａには緩衝材１５が取り付けられている。ホルダ板２０の凹部の底面には図４の２点鎖線で示す真空吸引路２０ｂが形成され、マスターディスク９３を吸引する。
【００５３】
図４に示すようにホルダ板１３でマスターディスク９２とスレーブディスク９１を保持し、ホルダ板２０でマスターディスク９３を保持した状態でホルダ板２０をホルダ板１３に向けて近接させ、マスターディスク９２とマスターディスク９３とでスレーブディスク９１を挟み込んだときに、ホルダ板２０の凹部と薄肉部との間の厚肉部がホルダ板１３のＯ−リング１４に僅かに当接するように、ホルダ板１３及びホルダ板２０の凹部の深さが決定されている。
【００５４】
ホルダ板２０をホルダ板１３に向けて近接させ、マスターディスク９２とマスターディスク９３とでスレーブディスク９１を挟み込むと、ホルダ板１３の凹部とホルダ板２０の凹部とで形成される空間はシール材としてのＯ−リング１４で密閉されるので、この状態で真空吸引路１３ｄ及び２０ｂから内部のエアを吸引することによりマスターディスク９２とスレーブディスク９１、及びスレーブディスク９１とマスターディスク９３との隙間がなくなり、スレーブディスク９１はマスターディスク９２とマスターディスク９３とで密着挟持される。
【００５５】
図５、及び図６は、第１のディスクホルダ１１のホルダ板１３の固定部分及びホルダ板１３の装着位置再現機構部の詳細を表わしたもので、図５は平面図、図６は図５におけるＭ−Ｑ−Ｎ断面図である。
【００５６】
スレーブディスク９１とマスターディスク９２とを保持したホルダ板１３は、位置調整がされた後取り付け部材である中間板１６に固定される。この固定は図５、及び図６に示すように、ホルダ板１３の外周部の４箇所を固定部材であるＬ字状コマ１７、１７、…で挟み込むことによって行われる。
【００５７】
Ｌ字状コマ１７は、図６に示すように、Ｌ字の基部が中間板１６に形成された角穴に嵌合して角穴の深さ方向にのみ移動可能で、それ以外の方向への移動や回転が規制されている。また、Ｌ字状コマ１７の基部端面には雌ねじが形成されている。更に、Ｌ字状コマ１７の他端側のホルダ板１３と接触する部位には鋼球１７ａが頭を出して埋め込まれ、微小突出部を形成している。
【００５８】
この４個のＬ字状コマ１７、１７、…を中間板１６の裏面側からボルト１７ｂで少量づつ締め付けることによってＬ字状コマ１７の鋼球１７ａと中間板１６とでホルダ板１３の外周部４箇所を挟み込んで固定する。なお、Ｌ字状コマ１７は４個に限らず、適宜の複数個とすることができる。
【００５９】
ホルダ板１３を単にネジで固定する方法では、ネジの回転力によってホルダ板１３が僅かにずれる可能性があり、精密位置調整後の部材を固定するには適さないが、本実施の形態ではＬ字状コマ１７を用いて中間板１６に挟み込んで固定するので、固定時の位置ズレが生じない。
【００６０】
ホルダ板１３の装着位置再現機構部６０は、図５、及び図６に示すように、ディスクホルダベース１８、ディスクホルダベース１８に略４５°傾けて形成された概略四角形の凹部１８ａ、凹部１８ａの頂角部に設けられた押圧部材である押しネジ１９、押しネジ１９の作用軸心である押圧軸心ＯＬを挟んで凹部１８ａの右下壁部に形成された２個の位置規制部位１８ｂ、１８ｂと、押圧軸心ＯＬを挟んで凹部１８ａの左下壁部にに形成された２個の位置規制部位１８ｂ、１８ｂとの４個の位置規制部位１８ｂ、１８ｂ、…とで構成されている。
【００６１】
押しネジ１９の先端は球状に形成されており、４個のＬ字状コマ１７を用いてホルダ板１３を挟持した中間板１６をディスクホルダベース１８の凹部１８ａに挿入し、押しネジ１９をねじ込むと、中間板１６は押圧軸心ＯＬに沿って押圧され、４個の位置規制部位１８ｂ、１８ｂ、…に当接して位置決めされる。
【００６２】
図５の平面図において、凹部１８ａの押圧軸心ＯＬの右下壁部の位置規制部位１８ｂ、１８ｂの位置規制面を結ぶ位置規制線Ｌ１の有効規制長さＤは、ホルダ板１３に保持されるスレーブディスク９１の外周直径の１倍〜１５倍になるように位置規制部位１８ｂ、１８ｂが形成されている。有効規制長さＤがスレーブディスク９１の外周直径の１倍より小さいと位置決めの再現性が悪化する。また、有効規制長さＤがスレーブディスク９１の外周直径の１５倍より大きいと必要以上に装置が大型化する。
【００６３】
また、図５に示すように、押圧軸心ＯＬの右下壁部の２個の位置規制部位１８ｂを結ぶ位置規制線Ｌ１（その延長線も含む）と、押圧軸心ＯＬの左下壁部の位置規制部位１８ｂを結ぶ位置規制線Ｌ２（その延長線も含む）とは、押圧軸心ＯＬに対して線対称になるように構成されている。このため、押しネジ１９による押圧力を中間板１６の左右の下側側面に均等に伝えることができる。
【００６４】
また、位置規制線Ｌ１の延長線と位置規制線Ｌ２の延長線との交差角αは、６０°〜１２０°に設定されている。交差角αが６０°より小さいと装着位置再現機構部６０が必要以上に大型化し、交差角αが１２０°より大きいと装着位置の再現性が悪化する。
【００６５】
更に、図５において、ホルダ板１３に保持されたスレーブディスク９１の中心Ｑを含み位置規制線Ｌ１と直交する線分ＶＬが位置規制線Ｌ１と交わる点Ｕは、位置規制線Ｌ１の有効規制長さＤ部分に存在するように位置規制部位１８ｂ、１８ｂが形成されている。このため、装着位置再現機構部６０の必要以上の大型化を抑えながら、良好な装着位置の再現性が図られる。
【００６６】
第１のディスクホルダ１１のホルダ板１３の固定部分及びホルダ板１３の装着位置再現機構部６０は前述のように構成されているので、ホルダ板１３の位置調整を装置外の外段取りで行って中間板１６に固定し、この中間板１６をディスクホルダベース１８の凹部１８ａに再現性良く装着することができる。また、マスターディスク９２のクリーニング等の保守の場合も外段取りで行うことができる。ホルダ板１３の位置調整は数μｍの精度で行う必要があるため、中間板１６のディスクホルダベース１８への装着位置再現性は特に重要である。
【００６７】
以上、図５、及び図６にて第１のディスクホルダ１１のホルダ板１３の固定部分及びホルダ板１３の装着位置再現機構部６０の詳細について説明したが、第２のディスクホルダ１２についても同様な構成となっているので、重複を避けるため説明は省略する。
【００６８】
なお、ホルダ板１３の中間板１６への固定を４個のＬ字状コマ１７、１７、…を用いて中間板１６に挟み込む構造としたが、４個のＬ字状コマ１７、１７、…に替えて図７に示すようなＬ字状断面を有する１個のリング１７Ａを用い、ホルダ板１３の外周部全周を挟み込む構造とすることもできる。
【００６９】
この場合、中間板１６にはＬ字状コマ１７のＬ字の基部と嵌合する角穴の代りに、リング１７Ａの基部と嵌合する環状溝を形成し、リング１７Ａの不必要な方向への動きを規制する。また、リング１７Ａのホルダ板１３と接触する部位に環状突出部１７ｃを形成することにより、安定した挟み込みが可能になり好適である。
【００７０】
また、中間板１６の装着位置再現機構部６０では、押圧軸心ＯＬの両側に夫々２個の位置規制部位１８ｂ、１８ｂを設けたが、位置規制部位１８ｂはこれに限らず、押圧軸心ＯＬの両側に夫々２個以上の適宜な複数個設けてもよく、あるいは押圧軸心ＯＬの一方側に２個他方側に１個設けてもよい。
【００７１】
更に、押圧軸心ＯＬの両側に夫々１個の位置規制部位１８ｂを設けるだけでもよい。この場合少なくとも一方側の位置規制部位１８ｂは有効規制長さＤを十分確保したものである必要がある。
【００７２】
以上説明した転写ユニット１０を構成する部材のうち、安定した転写磁界を印加するために、少なくとも第１のディスクホルダ１１、第２のディスクホルダ１２、第１のディスクホルダ１１の姿勢調整を行うチルチング調整手段２３、及び取り付け板２７、２８の材質は、例えばＳＵＳ３０４等の非磁性材料が用いられる。
【００７３】
次に、磁気転写装置１の転写ユニット１０の作用について以下に説明する。最初に、第１のディスクホルダ１１のホルダ板１３のディスク受け面１３ｂが第２のディスクホルダ１２のホルダ板２０のディスク受け面２０ａに対して平行になるように、第１のディスクホルダ１１の姿勢を調整する。この調整はチルチング調整手段２３にて行う。即ち、チルチング調整手段２３に設けられた複数の微調ネジ２５又はクランプネジ２６のうち少なくとも３個を用いて行う。
【００７４】
次に、中間板１６の外形を基準として、ホルダ板１３でスレーブディスク９１とマスターディスク９２とを保持した時のスレーブディスク９１とマスターディスク９２の中心線ＣＬが所定位置になるようにホルダ板１３の位置を調整し、次いでホルダ板１３を中間板１６に固定する。
【００７５】
この時、Ｌ字状コマ１７、１７、…を介してネジで固定する。なお、Ｌ字状コマ１７、１７、…は挟み込み方向以外の方向への移動や回転が規制されているので、正確に位置調整されたホルダ板１３が固定時にずれることがない。
【００７６】
なお、このホルダ板１３の位置調整は、磁気転写装置１の外部でいわゆる外段取りで行う。次いで中間板１６をディスクホルダベース１８の凹部１８ａに挿入し、押しネジ１９で中間板１６を押圧する。
【００７７】
これにより、中間板１６はディスクホルダベース１８の凹部１８ａに形成された４個の位置規制部位１８ｂ、１８ｂ、…によって再現性よく位置決めされる。
【００７８】
第２のディスクホルダ１２のホルダ板２０も同様にして、ホルダ板２０でマスターディスク９３を保持した時のマスターディスク９３の中心線ＣＬが所定位置になるように調整し、ホルダ板２０を中間板２１に固定する。この時も、Ｌ字状コマ１７、１７、…を介してネジで固定する。この調整も、外段取りで行う。次いで第１のディスクホルダ１１同様に中間板２１をディスクホルダベース２２の凹部２２ａに挿入し、押しネジ１９で中間板２１を押圧して位置決めする。
【００７９】
以上のディスクホルダ１１のチルチング調整、及びホルダ板１３、２０の位置調整によって、ディスクホルダ１１の前述した中心線ＣＬとディスクホルダ１２の前述した中心線ＣＬとが同一直線上で一致する。
【００８０】
次に、ディスクホルダ１１のホルダ板１３にマスターディスク９２及びスレーブディスク９１を挿入し、真空吸引路１３ｄで真空吸引して保持する。また、ディスクホルダ１２のホルダ板２０にマスターディスク９３を挿入し、真空吸引路２０ｂで真空吸引保持する。次いで移動手段４０を作動させ、ディスクホルダ１２をディスクホルダ１１に向けて接近させ、ホルダ板１３に保持されたスレーブディスク９１にホルダ板２０に保持されたマスターディスク９３を押付ける。
【００８１】
この押付けにより、緩衝材１５、１５に反発力が生じるとともに、ホルダ板１３の凹部とホルダ板２０の凹部とで形成される空間はシール材としてのＯ−リング１４で密閉されているので、真空吸引路１３ｄ、２０ｂからの吸引によりマスターディスク９２とスレーブディスク９１との接触面、及びスレーブディスク９１とマスターディスク９３との接触面が互いに吸引され、スレーブディスク９１がマスターディスク９２とマスターディスク９３とによって確実に密着挟持される。
【００８２】
このように、スレーブディスク９１がマスターディスク９２とマスターディスク９３によって確実に密着挟持されるので、転写用磁界印加手段３０、３０から転写磁界を印加し、マスターディスク９２及びマスターディスク９３の磁気情報をスレーブディスク９１に転写する際に、信号抜けや信号変形等の転写不良が発生することがなく、良質の磁気記録媒体が得られる。
【００８３】
次に、本発明に係る磁気転写装置の転写ユニットに設けられた装着位置再現機構部６０の実施の形態の変形例について説明する。
【００８４】
図８、及び図９は、第１のディスクホルダ１１のホルダ板１３の固定部分及びホルダ板１３の装着位置再現機構部６０の変形例を表わしたもので、図８は平面図、図９は図８におけるＭ−Ｑ−Ｎ断面図である。
【００８５】
この変形例におけるホルダ板１３の装着位置再現機構部６０は、図８、及び図９に示すように、ディスクホルダベース１８、ディスクホルダベース１８に略４５°傾けて形成された概略四角形の凹部１８ａ、凹部１８ａの頂角部に設けられた押圧部材である押しネジ１９、押しネジ１９の作用軸心である押圧軸心ＯＬを挟んで凹部１８ａの右下壁部に頭を出して埋設された２個の鋼球１８ｂ、１８ｂと押圧軸心ＯＬを挟んで凹部１８ａの左下壁部に頭を出して埋設された１個の鋼球１８ｂとからなる３個の位置規制部位とで構成されている。
【００８６】
中間板１６をディスクホルダベース１８の凹部１８ａに挿入し、押しネジ１９をねじ込むと、中間板１６は押圧軸心ＯＬに沿って押圧され、３個の位置規制部位である鋼球１８ｂ、１８ｂ、１８ｂの位置規制点Ｐ１、Ｐ２、及びＰ３に当接して位置決めされる。
【００８７】
凹部１８ａの押圧軸心ＯＬの右下壁部の位置規制点Ｐ１とＰ２との距離で決定される有効規制長さＤは、ホルダ板１３に保持されるスレーブディスク９１の外周直径の１倍〜１５倍になるように鋼球１８ｂ、１８ｂが埋設されている。有効規制長さＤがスレーブディスク９１の外周直径の１倍より小さいと位置決めの再現性が悪化する。また、有効規制長さＤがスレーブディスク９１の外周直径の１５倍より大きいと必要以上に装置が大型化する。
【００８８】
また、図８に示すように、位置規制点Ｐ１と位置規制点Ｐ２とを結ぶ直線（その延長線も含む）からなる位置規制線ＬＩと、位置規制線Ｌ１と押圧軸心ＯＬとの交点Ｒと位置規制点Ｐ３とを結ぶ位置規制線（その延長線も含む）Ｌ２とは、押圧軸心ＯＬに対して線対称になるように構成されている。このため、押しネジ１９による押圧力を中間板１６の左右の下側側面に均等に伝えることができる。
【００８９】
また、位置規制線Ｌ１と位置規制線Ｌ２との交差角αは、６０°〜１２０°に設定されている。交差角αが６０°より小さいと装着位置再現機構部６０が必要以上に大型化し、交差角αが１２０°より大きいと装着位置の再現性が悪化する。
【００９０】
更に、位置規制点Ｐ１、位置規制点Ｐ２、及びホルダ板１３に保持されたスレーブディスク９１の中心Ｑとを結んで形成される三角形の角Ｑ- Ｐ１- Ｐ２及び角Ｑ- Ｐ２- Ｐ１は、どちらも鋭角になるように構成されている。このため、装着位置再現機構部６０の必要以上の大型化を抑えながら、良好な装着位置の再現性が図られる。
【００９１】
また、中間板１６の側面のうち、押しネジ１９と接する面及び鋼球１８ｂ、１８ｂ、１８ｂと接する面は、図９に示すように、底面から上面に向かって僅かな傾斜面になっている。このため、中間板１６をディスクホルダベース１８の凹部１８ａに装着し、押しネジ１９を作用させて位置決めした時に、中間板１６の底面がディスクホルダベース１８の凹部１８ａの底面に押圧さるので、中間板１６が浮き上がらず確実に位置決めされ、再現性も優れている。
【００９２】
この変形例における装着位置再現機構部６０はこのように構成されているため、ホルダ板１３の位置調整を装置外の外段取りで行って中間板１６に固定し、この中間板１６をディスクホルダベース１８の凹部１８ａに再現性良く装着することができる。また、マスターディスク９２のクリーニング等の保守の場合も外段取りで行うことができる。
【００９３】
なお、この変形例ににおける中間板１６の装着位置再現機構部６０では、３個の鋼球１８ｂ、１８ｂ、１８ｂを用いた３個の位置規制部位としたが、位置規制部位は３個に限らず、３個以上の適宜な複数個とすることができる。
【００９４】
また、中間板１６の押しネジ１９と接する面及び３個の鋼球１８ｂ、１８ｂ、１８ｂと接する面を傾斜面にして、中間板１６をディスクホルダベース１８の凹部１８ａ底部に押付ける構造としたが、傾斜面を形成せずに、挿入位置決め後に別途ネジ等でディスクホルダベース１８に固定するようにしてもよい。
【００９５】
以上説明したように、本発明に係る磁気転写装置の転写ユニットによれば、ディスクホルダのマスターディスクを保持するホルダ板を中間板上に位置調整した後、固定部材で中間板に挟み込んで固定するので固定時に位置ズレが生じない。また、この中間板を押圧部材とディスクホルダベースに形成された位置規制部位とでディスクホルダベースに位置決め装着するので、ホルダ板を中間板ごと着脱する際に装着位置の再現性が優れている。
【００９６】
なお、前述した実施の形態では、磁気転写装置１の構成について、スレーブディスク９１及びマスターディスク９２、９３の軸心を水平方向に配置した構成で説明したが、水平方向に限らず、垂直方向、あるいは水平方向に対して所定角度傾斜した方向に配置した構成の磁気転写装置であっても、本発明の転写ユニット１０はそのまま適用することができる。
【図面の簡単な説明】
【００９７】
【図１】磁気転写装置の概念を表わす斜視図
【図２】磁気転写装置の実施の形態を表わす側面図
【図３】本発明に係る転写ユニットの実施の形態を表わす側面図
【図４】ディスクホルダのホルダ板を表わす断面図
【図５】装着位置再現機構部を表わす平面図
【図６】図５におけるＭ−Ｑ−Ｎ断面図
【図７】固定部材の別の実施形態を表わす断面図
【図８】装着位置再現機構部の変形例を表わす平面図
【図９】図８におけるＭ−Ｑ−Ｎ断面図
【図１０】ディスクホルダの一例を示す断面図
【符号の説明】
【００９８】
１…磁気転写装置、１０…転写ユニット、１１…第１のディスクホルダ、１２…第２のディスクホルダ、１３…ホルダ板、１６…中間板（取り付け部材）、１７…Ｌ字状コマ（固定部材）、１７Ａ…リング（固定部材）、１８…ディスクホルダベース、１８ｂ…位置規制部位（鋼球）、１９…押しネジ（押圧部材）、２３チルチング調整手段、４０…移動手段、６０…装着位置再現機構部、９１…スレーブディスク（被転写用ディスク、磁気記録媒体）９２・９３…マスターディスク、Ｄ…有効規制長さ、Ｌ１・Ｌ２…位置規制線、ＯＬ…押圧軸心、Ｐ１・Ｐ２・Ｐ３…位置規制点、Ｑ…スレーブディスク（被転写用ディスク）の中心、ＲＣ…回転軸心
【図１】
2006196119.tif 000003
【図２】
2006196119.tif 000004
【図３】
2006196119.tif 000005
【図４】
2006196119.tif 000006
【図５】
2006196119.tif 000007
【図６】
2006196119.tif 000008
【図７】
2006196119.tif 000009
【図８】
2006196119.tif 000010
【図９】
2006196119.tif 000011
【図１０】
2006196119.tif 000012